(57)【要約】  本開示のいくつかの態様は、一般に、無線アクセス技術（ＲＡＴ）の探索に関する。たとえば、本開示のいくつかの態様は、ＧＳＭおよびＬＴＥなど、複数の重複ＲＡＴを有するエリアにおいて、より優先度の高い無線アクセス技術（ＲＡＴ）探索およびセル再選択を可能にするための技法に関する。いくつかの態様によれば、ユーザ機器（ＵＥ）は、見つかったセルとの前の接続中に受信された１つまたは複数のデフォルトセル再選択パラメータおよび／または記憶されたシステム情報に基づいて、セル再選択パラメータのローカルセットを生成し得る。いくつかの態様によれば、ＵＥは、セル再選択パラメータのローカルセットに基づいてセル再選択を実行し得る。【選択図】      図５
2014520456.tif 000002
【特許請求の範囲】
【請求項１】
１つまたは複数のデフォルトセル再選択パラメータに基づいてセル再選択パラメータのローカルセットを生成することと、
セル再選択パラメータの前記ローカルセットに基づいて、第１の無線アクセス技術（ＲＡＴ）を利用する第１のセルから第２のＲＡＴを利用する第２のセルへのセル再選択を実行することと
を備える、ワイヤレス通信のための方法。
【請求項２】
前記デフォルトセル再選択パラメータが、前記第２のセルとの前の接続において受信された１つまたは複数のシステム情報ブロック（ＳＩＢ）から取得される、請求項１に記載の方法。
【請求項３】
前記第２のＲＡＴの前の接続中に収集された記憶されたシステム情報に基づいて、前記デフォルトセル再選択パラメータのうちの１つまたは複数を更新すること
をさらに備える、請求項１に記載の方法。
【請求項４】
前記記憶されたシステム情報が、前記第２のセルとの前の接続において受信された１つまたは複数のシステム情報ブロック（ＳＩＢ）から収集されたセル再選択パラメータを備える、請求項３に記載の方法。
【請求項５】
前記生成することが、
セル再選択パラメータの前記ローカルセットを生成するために、少なくとも１つのマッピング関数を利用して前記デフォルトセル再選択パラメータのうちの１つまたは複数を変換することを備える、請求項１に記載の方法。
【請求項６】
最近の遷移履歴に基づいてセル再選択パラメータの前記ローカルセットを更新すること
をさらに備える、請求項５に記載の方法。
【請求項７】
ピンポンネットワーク状態を表す前記第１のセルと前記第２のセルとの間の反復遷移を検出することと、
前記第１のセルと前記第２のセルとの間の遷移の数を低減するためにセル再選択パラメータの前記ローカルセットを更新することと
をさらに備える、請求項５に記載の方法。
【請求項８】
セル再選択パラメータの前記更新されたローカルセットのパラメータを元の値に戻すこと
をさらに備える、請求項７に記載の方法。
【請求項９】
前記第１のセルがパブリックランドモバイルネットワーク（ＰＬＭＮ）に属することを判断することであって、セル再選択パラメータのローカル生成が、ＰＬＭＮの所定のリストに基づいて望まれる、判断することと、
前記第１のセルが前記第２のセルのためのセル再選択パラメータをブロードキャストしないことを判断することと
をさらに備える、請求項１に記載の方法。
【請求項１０】
前記第１のセルから前記第２のセルに正常に遷移しないことと、
前記第１のセルと前記第２のセルとの間のセル遷移試みの数を低減するためにセル再選択パラメータの前記ローカルセットを更新することと
をさらに備える、請求項１に記載の方法。
【請求項１１】
セル再選択パラメータの前記ローカルセットがシステム情報２クオーター（ＳＩ２Ｑ）メッセージの１つまたは複数のパラメータを備える、請求項１に記載の方法。
【請求項１２】
前記第１のＲＡＴがＧｌｏｂａｌ  Ｓｙｓｔｅｍ  ｆｏｒ  Ｗｉｒｅｌｅｓｓ  Ｃｏｍｍｕｎｉｃａｔｉｏｎｓ（ＧＳＭ）を備え、前記第２のＲＡＴがＬｏｎｇ  Ｔｅｒｍ  Ｅｖｏｌｕｔｉｏｎ（ＬＴＥ）を備える、請求項１に記載の方法。
【請求項１３】
１つまたは複数のデフォルトセル再選択パラメータに基づいてセル再選択パラメータのローカルセットを生成するための手段と、
セル再選択パラメータの前記ローカルセットに基づいて、第１の無線アクセス技術（ＲＡＴ）を利用する第１のセルから第２のＲＡＴを利用する第２のセルへのセル再選択を実行するための手段と
を備える、ワイヤレス通信のための装置。
【請求項１４】
前記デフォルトセル再選択パラメータが、前記第２のセルとの前の接続において受信された１つまたは複数のシステム情報ブロック（ＳＩＢ）から取得される、請求項１３に記載の装置。
【請求項１５】
前記第２のＲＡＴの前の接続中に収集された記憶されたシステム情報に基づいて、前記デフォルトセル再選択パラメータのうちの１つまたは複数を更新するための手段
をさらに備える、請求項１３に記載の装置。
【請求項１６】
前記記憶されたシステム情報が、前記第２のセルとの前の接続において受信された１つまたは複数のシステム情報ブロック（ＳＩＢ）から収集されたセル再選択パラメータを備える、請求項１５に記載の装置。
【請求項１７】
生成するための前記手段が、
セル再選択パラメータの前記ローカルセットを生成するために、少なくとも１つのマッピング関数を利用して前記デフォルトセル再選択パラメータのうちの１つまたは複数を変換するための手段を備える、請求項１３に記載の装置。
【請求項１８】
最近の遷移履歴に基づいてセル再選択パラメータの前記ローカルセットを更新するための手段
をさらに備える、請求項１７に記載の装置。
【請求項１９】
ピンポンネットワーク状態を表す前記第１のセルと前記第２のセルとの間の反復遷移を検出するための手段と、
前記第１のセルと前記第２のセルとの間の遷移の数を低減するためにセル再選択パラメータの前記ローカルセットを更新するための手段と
をさらに備える、請求項１７に記載の装置。
【請求項２０】
セル再選択パラメータの前記更新されたローカルセットのパラメータを元の値に戻すための手段
をさらに備える、請求項１９に記載の装置。
【請求項２１】
前記第１のセルがパブリックランドモバイルネットワーク（ＰＬＭＮ）に属することを判断するための手段であって、セル再選択パラメータのローカル生成が、ＰＬＭＮの所定のリストに基づいて望まれる、判断するための手段と、
前記第１のセルが前記第２のセルのためのセル再選択パラメータをブロードキャストしないことを判断するための手段と
をさらに備える、請求項１３に記載の装置。
【請求項２２】
前記第１のセルと前記第２のセルとの間のセル遷移試みの数を低減するためにセル再選択パラメータの前記ローカルセットを更新するための手段
をさらに備える、請求項１３に記載の装置。
【請求項２３】
セル再選択パラメータの前記ローカルセットがシステム情報２クオーター（ＳＩ２Ｑ）メッセージの１つまたは複数のパラメータを備える、請求項１３に記載の装置。
【請求項２４】
前記第１のＲＡＴがＧｌｏｂａｌ  Ｓｙｓｔｅｍ  ｆｏｒ  Ｗｉｒｅｌｅｓｓ  Ｃｏｍｍｕｎｉｃａｔｉｏｎｓ（ＧＳＭ）を備え、前記第２のＲＡＴがＬｏｎｇ  Ｔｅｒｍ  Ｅｖｏｌｕｔｉｏｎ（ＬＴＥ）を備える、請求項１３に記載の装置。
【請求項２５】
１つまたは複数のデフォルトセル再選択パラメータに基づいてセル再選択パラメータのローカルセットを生成することと、セル再選択パラメータの前記ローカルセットに基づいて、第１の無線アクセス技術（ＲＡＴ）を利用する第１のセルから第２のＲＡＴを利用する第２のセルへのセル再選択を実行することとを行うように構成された少なくとも１つのプロセッサと、
前記少なくとも１つのプロセッサに結合されたメモリと
を備える、ワイヤレス通信のための装置。
【請求項２６】
１つまたは複数のデフォルトセル再選択パラメータに基づいてセル再選択パラメータのローカルセットを生成することと、
セル再選択パラメータの前記ローカルセットに基づいて、第１の無線アクセス技術（ＲＡＴ）を利用する第１のセルから第２のＲＡＴを利用する第２のセルへのセル再選択を実行することと
を行うための、１つまたは複数のプロセッサによって実行可能な命令を記憶したコンピュータ可読媒体を備えるコンピュータプログラム製品。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１１年６月１７日に出願された「METHODS AND APPARATUS FOR INTER-RAT CELL RESELECTION」と題する米国仮出願第６１／４９８，４７１号の優先権を主張する。
【０００２】
本開示のいくつかの態様は、一般にワイヤレス通信システムに関し、より詳細には、（たとえば、レガシー（legacy）ネットワークにおいてＲＡＴ間セル再選択を可能にするための）異なる無線アクセス技術（ＲＡＴ）間でのセル再選択のための方法および装置に関する。
【背景技術】
【０００３】
ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力（ＳＩＳＯ）、多入力単出力（ＭＩＳＯ）または多入力多出力（ＭＩＭＯ）システムを介して確立され得る。
【０００５】
さらに、ワイヤレス通信システムは、様々な無線アクセス技術（ＲＡＴ）をサポートする複数のセルを含み得る。新しいＲＡＴをサポートするためのインフラストラクチャがワイヤレス通信システムに追加されたとき、より古いＲＡＴとより新しいＲＡＴとの間の相互運用性問題が起こり得る。したがって、異なるＲＡＴを利用するセル間の遷移を管理するための技法および装置が必要である。
【発明の概要】
【０００６】
本開示のいくつかの態様は、ワイヤレス通信のための方法を提供する。本方法は、概して、１つまたは複数のデフォルトセル再選択パラメータに基づいてセル再選択パラメータのローカルセットを生成することと、セル再選択パラメータのローカルセットに基づいて、第１の無線アクセス技術（ＲＡＴ）を利用する第１のセルから第２のＲＡＴを利用する第２のセルへのセル再選択を実行することとを含む。
【０００７】
本開示のいくつかの態様は、ワイヤレス通信のための装置を提供する。本装置は、概して、１つまたは複数のデフォルトセル再選択パラメータに基づいてセル再選択パラメータのローカルセットを生成するための手段と、セル再選択パラメータのローカルセットに基づいて、第１の無線アクセス技術（ＲＡＴ）を利用する第１のセルから第２のＲＡＴを利用する第２のセルへのセル再選択を実行するための手段とを含む。
【０００８】
本開示のいくつかの態様は、ワイヤレス通信のための装置を提供する。本装置は、概して、１つまたは複数のデフォルトセル再選択パラメータに基づいてセル再選択パラメータのローカルセットを生成することと、セル再選択パラメータのローカルセットに基づいて、第１の無線アクセス技術（ＲＡＴ）を利用する第１のセルから第２のＲＡＴを利用する第２のセルへのセル再選択を実行することとを行うように構成された少なくとも１つのプロセッサと、少なくとも１つのプロセッサに結合されたメモリとを含む。
【０００９】
本開示のいくつかの態様は、命令を記憶したコンピュータ可読媒体を備えるコンピュータプログラム製品を提供する。１つまたは複数のデフォルトセル再選択パラメータに基づいてセル再選択パラメータのローカルセットを生成することと、セル再選択パラメータのローカルセットに基づいて、第１の無線アクセス技術（ＲＡＴ）を利用する第１のセルから第２のＲＡＴを利用する第２のセルへのセル再選択を実行することとのための命令は、概して、１つまたは複数のプロセッサによって実行可能である。
【００１０】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１１】
【図１】多元接続ワイヤレス通信システムを示す図。
【図２】通信システムのブロック図。
【図３】本開示のいくつかの態様による、ワイヤレスデバイスにおいて利用され得る様々な構成要素を示す図。
【図４】本開示のいくつかの態様による、ワイヤレスデバイスによって実行され得る例示的な動作を示す図。
【図５】本開示のいくつかの態様による、例示的なマルチＲＡＴトポロジーを示す図。
【図６】本開示のいくつかの態様による、セル再選択パラメータのローカルセットを生成することの一例を示す図。
【発明を実施するための形態】
【００１２】
ワイヤレス多元接続通信システムは、複数の無線アクセス技術（ＲＡＴ）をサポートし得る。ＲＡＴの例には、たとえば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、ｃｄｍａ２０００、ＷｉＭＡＸ（登録商標）、ＷＬＡＮ（たとえば、ＷｉＦｉ（登録商標））、Ｂｌｕｅｔｏｏｔｈ（登録商標）、Ｌｏｎｇ  Ｔｅｒｍ  Ｅｖｏｌｕｔｉｏｎ（ＬＴＥ）、ＬＴＥ−Ａｄｖａｎｃｅｄなどがある。より新しいＲＡＴがリリースされたとき、ワイヤレス通信システムのインフラストラクチャは、より新しいＲＡＴおよびプロトコルをサポートするために増補され得る。さらに、ワイヤレス通信システムの既存のインフラストラクチャは、レガシーＲＡＴと現在ＲＡＴとの間の（たとえば、ＧＳＭとＬＴＥとの間の）相互運用性をサポートするために更新され得る。しかしながら、場合によっては、アップグレードされたシステムは、アップグレードされないシステムと重複して、運用不能問題を生じ得る。
【００１３】
たとえば、ＬＴＥシステムは、事業者が、ＧＳＭ対ＬＴＥ  ＲＡＴ間遷移をサポートするために既存のインフラストラクチャをアップグレードしていないことがある、古いレガシーＧＳＭ  ＥＤＧＥ無線アクセスネットワーク（ＧＥＲＡＮ）展開と重複し得る。言い換えれば、これらのレガシーネットワーク中のＧＥＲＡＮ基地局は、ユーザ機器（ＵＥ）をＬＴＥサービスにダイレクトしないことがあり、システム情報２クオーター（ＳＩ２Ｑ）メッセージなど、システムブロードキャストチャネル中のＬＴＥネイバー（neighbors）またはセル再選択情報をブロードキャストしないことがある。しかしながら、そのようなエリアにおいて、ＬＴＥシステムは、依然としてＬＴＥ対ＧＳＭ  ＲＡＴ間モビリティをサポートする。したがって、そのようなネットワークでは、ＵＥが、セル再選択、リダイレクション、セル変更命令（ＣＣＯ）、または圏外（ＯＯＳ）モビリティ挙動を通してなど、好適なモビリティプロシージャを介してＬＴＥからＧＳＭに遷移しようとした場合、ＵＥがＧＳＭカバレージを失うかまたはパワーサイクルされない限り、ＵＥはＬＴＥサービスに戻らないことがある。したがって、ＲＡＴ相互動作のないエリアにおいてＲＡＴ間遷移を管理する改善された装置および技法が必要である。いくつかの態様によれば、セル再選択パラメータのローカルセットを利用して、レガシーネットワークにおいてＲＡＴ間セル再選択を可能にするための方法および装置が提供される。
【００１４】
以下の詳細な説明では、ＬＴＥとＧＳＭとをサポートするユーザ機器を含むワイヤレス通信システムについて説明するが、以下で与えるいくつかの態様は、上記に記載したものを含む、複数のＲＡＴの様々な組合せをサポートするユーザ機器の他の構成に適用され得る。また、本開示のいくつかの態様では、概して、ＬＴＥよりも低い優先度を有するＧＳＭをレガシーＲＡＴと呼ぶが、いくつかの態様は、ＧＳＭが、ＬＴＥに等しいかまたはそれよりも高い優先度を与えられ得る場合に拡張され得ることを理解されたい。
【００１５】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）（登録商標）と低チップレート（ＬＣＲ）とを含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。明快のために、本技法のいくつかの態様について以下ではＬＴＥに関して説明し、以下の説明の大部分でＬＴＥ用語を使用する。
【００１６】
シングルキャリア変調と周波数領域等化とを利用するシングルキャリア周波数分割多元接続（ＳＣ−ＦＤＭＡ）は、１つの技法である。ＳＣ−ＦＤＭＡは、ＯＦＤＭＡシステムと同様の性能と、本質的に同じ全体的な複雑さとを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡ、および／またはＬＴＥ  Ａｄｖａｎｃｅｄにおけるアップリンク多元接続方式に関する実用的な前提である。
【００１７】
アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１８】
アクセス端末（「ＡＴ」）は、ワイヤレス端末、ユーザ端末、ユーザエージェント、ユーザデバイス、ユーザ機器（「ＵＥ」）、ユーザ局、加入者局、加入者ユニット、移動局、遠隔局、遠隔端末、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で説明する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００１９】
図１を参照すると、一態様による多元接続ワイヤレス通信システムが示されている。アクセスポイント１００（ＡＰ）は、複数のアンテナグループ、すなわち、アンテナ１０４および１０６を含むあるアンテナグループと、アンテナ１０８および１１０を含む別のアンテナグループと、アンテナ１１２および１１４を含むさらに別のアンテナグループとを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信しており、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信しており、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２０】
アンテナの各グループ、および／またはアンテナが通信するように設計されたエリアは、しばしば、アクセスポイントのセクタと呼ばれる。図１に示されている態様では、それぞれのアンテナグループは、アクセスポイント１００によってカバーされるエリアの１つのセクタ内のアクセス端末と通信するように設計される。図１は、アクセスポイント１００のカバレージエリアが３つのセクタ１３０、１３２、および１３４に区分されることを示している。アクセス端末１１６はアクセスポイント１００のセクタ１３０と通信しており、アクセス端末１２２はセクタ１３４と通信している。セクタ１３２は、図１に示されている態様では非サービング（non-serving）セクタである。
【００２１】
順方向リンク１２０および１２６上の通信では、アクセスポイント１００の送信アンテナは、異なるアクセス端末１１６および１２２に対して順方向リンクの信号対雑音比（ＳＮＲ）を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００２２】
図２は、ＭＩＭＯシステム２００における（アクセスポイントとしても知られる）送信機システム２１０と（アクセス端末としても知られる）受信機システム２５０との態様のブロック図である。送信機システム２１０において、いくつかのデータストリームのトラフィックデータがデータソース２１２から送信（ＴＸ）データプロセッサ２１４に与えられる。
【００２３】
一態様では、各データストリームは、それぞれの送信アンテナを介して送信される。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００２４】
各データストリームのコード化データは、ＯＦＤＭ技法を使用してパイロットデータと多重化され得る。パイロットデータは、典型的には、知られている方法で処理される知られているデータパターンであり、チャネル応答を推定するために受信機システムにおいて使用され得る。各データストリームの多重化されたパイロットデータおよびコード化データは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルが与えられる。各データストリームのデータレート、コーディング、および変調は、プロセッサ２３０によって実行される命令によって決定され得る。
【００２５】
すべてのデータストリームの変調シンボルは、次いで、ＴＸ  ＭＩＭＯプロセッサ２２０に与えられ、ＴＸ  ＭＩＭＯプロセッサ２２０は（たとえば、ＯＦＤＭの場合）その変調シンボルをさらに処理し得る。ＴＸ  ＭＩＭＯプロセッサ２２０は、次いで、ＮT個の変調シンボルストリームをＮT個の送信機（ＴＭＴＲ）２２２ａ〜２２２ｔに与える。いくつかの態様では、ＴＸ  ＭＩＭＯプロセッサ２２０は、データストリームのシンボルと、シンボルがそこから送信されているアンテナとにビームフォーミング重みを適用する。
【００２６】
各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに好適な被変調信号を与える。送信機２２２ａ〜２２２ｔからのＮT個の被変調信号は、次いで、それぞれＮT個のアンテナ２２４ａ〜２２４ｔから送信される。
【００２７】
受信機システム２５０において、送信された被変調信号はＮR個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００２８】
次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。ＲＸデータプロセッサ２６０は、次いで、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００２９】
プロセッサ２７０は、どのプリコーディング行列を使用すべきかを定期的に判断する。プロセッサ２７０は、行列インデックス部分とランク値部分とを備える逆方向リンクメッセージを作成する。逆方向リンクメッセージは、通信リンクおよび／または受信データストリームに関する様々なタイプの情報を備え得る。逆方向リンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３０】
送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。プロセッサ２３０が、次いで、ビームフォーミング重みを決定するためにどのプリコーディング行列を使用すべきかを決定し、次いで、抽出されたメッセージを処理する。
【００３１】
いくつかの態様によれば、受信機システム２５０は、複数のＲＡＴをサポートするように構成され得る。いくつかの態様によれば、受信機システム２５０は、ＧＳＭを備える第１のＲＡＴと、ＬＴＥを備える第２のＲＡＴとをサポートするように構成され得る。いくつかの態様によれば、プロセッサ２７０およびＴＸデータプロセッサ２３８など、受信機システム２５０の様々な構成要素は、本明細書で説明するセル再選択パラメータのローカルセットに基づいて、ＧＳＭセルとＬＴＥセルとの間のセル再選択を実行するための技法を実装するように構成され得る。いくつかの態様によれば、プロセッサ２７０は、１つまたは複数のデフォルトセル再選択パラメータに基づいてセル再選択パラメータのローカルセットを生成するように構成され得る。いくつかの態様によれば、プロセッサ２７０は、セル再選択パラメータのローカルセットに基づいて、ＧＳＭセルからＬＴＥセルに切り替えるためにセル再選択プロシージャを実行するように構成され得る。
【００３２】
概して、論理チャネルは、制御チャネルとトラフィックチャネルとに分類されることを理解されたい。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、１つまたは複数のＭＴＣＨのためのマルチメディアブロードキャストおよびマルチキャストサービス（ＭＢＭＳ）スケジューリングおよび制御情報を送信するために使用されるポイントツーマルチポイントＤＬチャネルであるマルチキャスト制御チャネル（ＭＣＣＨ）とを備える。概して、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイントツーポイント双方向チャネルであり、ＲＲＣ接続を有するＵＥによって使用される。一態様では、論理トラフィックチャネルは、ユーザ情報を転送するための１つのＵＥに専用のポイントツーポイント双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントＤＬチャネルである。
【００３３】
さらに、トランスポートチャネルは、ＤＬとＵＬとに分類されることを理解されたい。ＤＬトランスポートチャネルは、ブロードキャストチャネル（ＢＣＨ）と、ダウンリンク共有データチャネル（ＤＬ−ＳＤＣＨ）と、ＵＥ節電（不連続受信（ＤＲＸ）サイクルがネットワークによってＵＥに示される）をサポートするためのページングチャネル（ＰＣＨ）とを備え、これらのチャネルは、セル全体にわたってブロードキャストされ、他の制御／トラフィックチャネルのために使用され得るＰＨＹリソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ＤＬチャネルとＵＬチャネルとのセットを備える。
【００３４】
ＤＬ  ＰＨＹチャネルは以下を備える。
【００３５】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
確認応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を備える。
【００３６】
物理ランダムアクセスチャネル（ＰＲＡＣＨ）
チャネル品質インジケータチャネル（ＣＱＩＣＨ）
確認応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
本文書では、以下の略語が適用される。
【００３７】
ＡＣＫ            確認応答
ＡＭ              確認応答モード
ＡＭＤ            確認応答モードデータ
ＡＲＱ            自動再送要求
ＢＣＣＨ          ブロードキャスト制御チャネル
ＢＣＨ            ブロードキャストチャネル
ＢＷ              帯域幅
Ｃ−              制御−
ＣＢ              競合ベース
ＣＣＥ            制御チャネル要素
ＣＣＣＨ          共通制御チャネル
ＣＣＨ            制御チャネル
ＣＣＴｒＣＨ      コード化複合トランスポーチャネル
ＣＤＭ            符号分割多重
ＣＦ              無競合
ＣＰ              サイクリックプレフィックス
ＣＱＩ            チャネル品質インジケータ
ＣＲＣ            サイクリック冗長検査
ＣＲＳ            共通基準信号
ＣＴＣＨ          共通トラフィックチャネル
ＤＣＣＨ          専用制御チャネル
ＤＣＨ            専用チャネル
ＤＣＩ            ダウンリンク制御情報
ＤＬ              ダウンリンク
ＤＲＳ            専用基準信号
ＤＳＣＨ          ダウンリンク共有チャネル
ＤＳＰ            デジタル信号プロセッサ
ＤＴＣＨ          専用トラフィックチャネル
Ｅ−ＣＩＤ        拡張セル識別
ＥＰＳ            発展型パケットシステム
ＦＡＣＨ          順方向リンクアクセスチャネル
ＦＤＤ            周波数分割複信
ＦＤＭ            周波数分割多重
ＦＳＴＤ          周波数切替え送信ダイバーシティ
ＨＡＲＱ          ハイブリッド自動再送／要求
ＨＷ              ハードウェア
ＩＣ              干渉消去
Ｌ１              レイヤ１（物理レイヤ）
Ｌ２              レイヤ２（データリンクレイヤ）
Ｌ３              レイヤ３（ネットワークレイヤ）
ＬＩ              長さインジケータ
ＬＬＲ            対数尤度比
ＬＳＢ            最下位ビット
ＭＡＣ            媒体アクセス制御
ＭＢＭＳ          マルチメディアブロードキャストマルチキャストサービス
ＭＣＣＨ          ＭＢＭＳポイントツーマルチポイント制御チャネル
ＭＭＳＥ          最小平均２乗誤差
ＭＲＷ            移動受信ウィンドウ
ＭＳＢ            最上位ビット
ＭＳＣＨ          ＭＢＭＳポイントツーマルチポイントスケジューリングチャネル
ＭＴＣＨ          ＭＢＭＳポイントツーマルチポイントトラフィックチャネル
ＮＡＣＫ          否定応答
ＰＡ              電力増幅器
ＰＢＣＨ          物理ブロードキャストチャネル
ＰＣＣＨ          ページング制御チャネル
ＰＣＨ            ページングチャネル
ＰＣＩ            物理セル識別子
ＰＤＣＣＨ        物理ダウンリンク制御チャネル
ＰＤＵ            プロトコルデータユニット
ＰＨＩＣＨ        物理ＨＡＲＱインジケータチャネル
ＰＨＹ            物理レイヤ
ＰｈｙＣＨ        物理チャネル
ＰＭＩ            プリコーディング行列インジケータ
ＰＲＡＣＨ        物理ランダムアクセスチャネル
ＰＳＳ            １次同期信号
ＰＵＣＣＨ        物理アップリンク制御チャネル
ＰＵＳＣＨ        物理アップリンク共有チャネル
ＱｏＳ            サービス品質
ＲＡＣＨ          ランダムアクセスチャネル
ＲＢ              リソースブロック
ＲＬＣ            無線リンク制御
ＲＲＣ            無線リソース制御
ＲＥ              リソース要素
ＲＩ              ランクインジケータ
ＲＮＴＩ          無線ネットワーク一時識別子
ＲＳ              基準信号
ＲＴＴ            ラウンドトリップ時間
Ｒｘ              受信
ＳＡＰ            サービスアクセスポイント
ＳＤＵ            サービスデータユニット
ＳＦＢＣ          空間周波数ブロックコード
ＳＨＣＣＨ        共有チャネル制御チャネル
ＳＩＮＲ          信号対干渉雑音比
ＳＮ              シーケンス番号
ＳＲ              スケジューリング要求
ＳＲＳ            サウンディング基準信号
ＳＳＳ            ２次同期信号
ＳＵ−ＭＩＭＯ    シングルユーザ多入力多出力
ＳＵＦＩ          スーパーフィールド
ＳＷ              ソフトウェア
ＴＡ              タイミングアドバンス
ＴＣＨ            トラフィックチャネル
ＴＤＤ            時分割複信
ＴＤＭ            時分割多重
ＴＦＩ            トランスポートフォーマットインジケータ
ＴＰＣ            送信電力制御
ＴＴＩ            送信時間間隔
Ｔｘ              送信
Ｕ−              ユーザ−
ＵＥ              ユーザ機器
ＵＬ              アップリンク
ＵＭ              非確認応答モード
ＵＭＤ            非確認応答モードデータ
ＵＭＴＳ          Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ          ＵＭＴＳ地上波無線アクセス
ＵＴＲＡＮ        ＵＭＴＳ地上波無線アクセスネットワーク
ＶＯＩＰ          ボイスオーバインターネットプロトコル
ＭＢＳＦＮ        マルチキャストブロードキャスト単一周波数ネットワーク
ＭＣＨ            マルチキャストチャネル
ＤＬ−ＳＣＨ      ダウンリンク共有チャネル
ＰＤＣＣＨ        物理ダウンリンク制御チャネル
ＰＤＳＣＨ        物理ダウンリンク共有チャネル
例示的なＲＡＴ間セル再選択
上記で説明したように、いくつかのネットワーク（たとえば、より古い「レガシー」ＧＳＭネットワーク）は、他の重複ネットワーク（たとえば、ＬＴＥネットワーク）と相互動作するように構成されないことがあり、その結果、他の重複ネットワークに、セル再選択のために使用されるパラメータを広告しないことがある。一例として、より古い「レガシーＧＳＭ」ネットワークは、更新されたＧＳＭネットワークが広告するであろうように、ＧＳＭネットワークにキャンプオンしたＵＥに近隣ＬＴＥセルの存在を広告しないことがある。結果として、ＵＥが、ＬＴＥネットワークからＧＳＭネットワークにハンドオーバされた場合、ＵＥは、（たとえば、ＧＳＭネットワーク接続／カバレージが失われるまで）決して戻らないことがある。
【００３８】
しかしながら、本開示のいくつかの態様によれば、ＵＥは、ＬＴＥサービスを自律的に捜し出し、利用可能な場合、ＬＴＥセルにキャンプオンするように構成され得る。たとえば、ＵＥは、近隣において展開される可能性がある周波数に対してＬＴＥサービスの探索を実行するように構成され得る。いくつかの態様によれば、ＬＴＥネイバーの存在を（たとえば、動的に）学習することによって、およびセル再選択関係のパラメータを（たとえば、動的に）構成することによってＬＴＥネイバーリストを構成するための方法および技法が提供される。一実装形態では、ターゲットＲＡＴセルから受信、取得、および／または収集されたシステム情報に基づいて、シミュレートされたＳＩ２Ｑメッセージを生成するためにマッピング関数が利用され得る。
【００３９】
図３に、図１に示したワイヤレス通信システム内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は、図１の基地局１００であるかまたはユーザ端末１１６および１２２のいずれかであり得るが、以下の詳細な説明では、ワイヤレスデバイス３０２をＵＥ３０２と互換的に呼ぶことがある。
【００４０】
ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。ワイヤレスデバイス３０２の様々な構成要素は、データバスに加えて、電力バスと、制御信号バスと、ステータス信号バスとを含み得る、バスシステム３２２によって互いに結合され得る。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。ただし、追加および／または他のメモリが採用され得る。たとえば、（本明細書で開示するすべてのデータストアと同様に）メモリ３０６は、揮発性メモリまたは不揮発性メモリであり得るか、あるいは揮発性部分と不揮発性部分の両方を含むことができ、また固定であるか、取外し可能であるか、または固定部分と取外し可能部分の両方を含むことができる。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、Ｓｙｎｃｈｌｉｎｋ（商標）ＤＲＡＭ（ＳＬＤＲＡＭ）、およびｄｉｒｅｃｔ  Ｒａｍｂｕｓ（商標）ＲＡＭ（ＤＲＲＡＭ）など、多くの形態において利用可能である。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００４１】
いくつかの態様によれば、メモリ３０６は、以下でさらに説明する技法に従ってＲＡＴセルから受信、取得、および／または収集されたシステム情報を記憶するように構成され得る。一実装形態では、メモリ３０６は、ＬＴＥセルにキャンプオンしている間に受信されたシステム情報ブロック（ＳＩＢ）を記憶するように構成されたローカルキャッシュを含み得る。いくつかの態様によれば、記憶されたシステム情報は、以下で説明するように利用され得るセル再選択パラメータを含み得る。
【００４２】
いくつかの態様によれば、メモリ３０６は、セル再選択パラメータのローカルセットを記憶するように構成され得る。セル再選択パラメータのローカルセットは、以下でさらに説明する技法に従ってメモリ３０６において更新され得る。いくつかの態様によれば、セル再選択パラメータのローカルセットは、「デフォルトパラメータセット」と呼ばれることがある、ＲＡＴ間セル再選択パラメータの事前プロビジョニングされた最小セットを備え得る。
【００４３】
デフォルトパラメータセットは、物理ランドモバイルネットワーク（ＰＬＭＮ）、事業者、またはワイヤレスデバイス製造業者によって与えられ得るか、あるいはワイヤレスデバイス構成を介してロードされ得る。代替態様によれば、事前ロードされるのではなく、デフォルトセル再選択パラメータは、代わりに、別のセルとの前の接続において受信された１つまたは複数のＳＩＢから取得され得る。一実装形態では、デフォルトパラメータセットはデフォルトＳＩ２Ｑメッセージとしてフォーマットされ得る。いくつかの態様では、デフォルトパラメータセットは、（たとえば、初めは）「ヌル集合（nul set）」であり得る。
【００４４】
いくつかの態様によれば、メモリ３０６に記憶されたデフォルトパラメータセットは、少なくとも、ＬＴＥチャネルを示すＥ−ＵＴＲＡ絶対無線周波数チャネル番号（ＥＡＲＦＣＮ：E-UTRA Absolutely Radio Frequency Channel Number）など、知られているＬＴＥチャネル周波数のリスト、すべてのＬＴＥ  ＥＡＲＦＣＮに適用され得るＬＴＥ  ＲＡＴ優先度パラメータ、ＧＥＲＡＮ  ＲＡＴ優先度パラメータ、および、より優先度の高いＬＴＥネイバーセルがセル再選択のための候補と見なされるために、そのセルの受信信号強度が超えなければならない信号しきい値を示すＴｈｒｅｓｈE-UTRAN_Highパラメータを含む。
【００４５】
いくつかの態様によれば、ＬＴＥ  ＥＡＲＦＣＮのリストはネットワーク事業者によって与えられ得、ＬＴＥ  ＲＡＴ優先度パラメータは最高優先度に設定され得、ＧＥＲＡＮ  ＲＡＴ優先度パラメータは最低優先度に設定され得、ＴｈｒｅｓｈE-UTRAN_Highパラメータは信号強度に対する妥当なデフォルト値に設定され得る。ただし、デフォルトパラメータセットは、より多数の、より少数の、および／または異なるパラメータを含み得る。デフォルトパラメータセットは、以下で説明するローカル再選択パラメータに対応する追加のデフォルト再選択パラメータを含み得ることが企図される。
【００４６】
さらに、いくつかの態様によれば、メモリ３０６は、レガシーネットワークが、近隣ＲＡＴを広告する相互運用可能なメッセージをブロードキャストしないことがある、ＰＬＭＮの事前プロビジョニングされたリストを記憶するようにさらに構成され得る。一実装形態では、メモリ３０６は、ＳＩ２ＱメッセージをブロードキャストしないことがあるＧＳＭ基地局を含むように事前判断され、ＧＳＭ対ＬＴＥセル再選択パラメータのローカル生成が望まれることがある、ＰＬＭＮの事前プロビジョニングされたリストを記憶し得る。
【００４７】
ワイヤレスデバイス３０２はまた、ワイヤレスデバイス３０２と遠隔ロケーションとの間のデータの送信および受信を可能にするための送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４８】
ワイヤレスデバイス３０２はまた、トランシーバ３１４によって受信された信号のレベルを検出および／または定量化するために使用され得る信号検出器３１８を含み得る。信号検出器３１８は、総エネルギー、シンボルごとのサブキャリア当たりのエネルギー、電力スペクトル密度および／または他の信号などの信号を検出し得る。ワイヤレスデバイス３０２はまた、信号を処理する際に使用するためのデジタル信号プロセッサ（ＤＳＰ）３２０を含み得る。
【００４９】
いくつかの態様によれば、ＵＥ３０２の信号検出器３１８は、ＬＴＥサービスを捕捉することを試みるように構成され得る。いくつかの態様によれば、プロセッサ３０４および／またはＤＳＰ３２０は、近隣ＬＴＥセルからシステム情報を収集するように構成され得る。いくつかの態様によれば、プロセッサ３０４は、メモリ３０６に記憶されたデフォルトパラメータセットにアクセスし、デフォルトパラメータセットに基づいてセル再選択パラメータのローカルセットを生成するように構成され得る。いくつかの態様によれば、プロセッサ３０４は、セル再選択パラメータのローカルセットに基づいて、ＧＳＭセルからＬＴＥセルへのセル再選択を実行するように構成され得る。
【００５０】
図４に、本開示の態様による、第１のセルから第２のセルへのＲＡＴ間セル再選択を可能にするために、たとえば、ユーザ機器（ＵＥ）によって実行され得る例示的な動作４００を示す。
【００５１】
動作４００は、ＵＥが、１つまたは複数のデフォルトセル再選択パラメータに基づいてセル再選択パラメータのローカルセットを生成する、４０２において開始し得る。いくつかの態様によれば、ＵＥは、セル再選択パラメータのローカルセットを生成するために、以下の図６に関してさらに説明する少なくとも１つのマッピング関数を利用して、たとえば、それを採用することによって、１つまたは複数のデフォルトセル再選択パラメータを処理（たとえば、変換）し得る。いくつかの態様によれば、セル再選択パラメータのローカルセットは、ＳＩ２Ｑメッセージの１つまたは複数のパラメータを備える。
【００５２】
４０４において、ＵＥは、４０２において生成されたセル再選択パラメータのローカルセットに基づいて、第１のＲＡＴを利用する第１のセルから第２のＲＡＴを利用する第２のセルへのセル再選択を実行する。いくつかの態様によれば、第１のＲＡＴはＧＳＭを備え、第２のＲＡＴはＬＴＥを備える。いくつかの態様によれば、ＵＥは、第２のＲＡＴの前の接続中に取得、受信、および／または収集されたキャッシュされたシステム情報に基づいて、デフォルトセル再選択パラメータのうちの１つまたは複数を更新し得る。いくつかの態様によれば、キャッシュされたシステム情報は、第２のセルとの前の接続において取得、受信、および／または収集された１つまたは複数のＳＩＢからのセル再選択パラメータを備える。
【００５３】
いくつかの態様によれば、ＵＥは、最近の遷移履歴に基づいてセル再選択パラメータのローカルセットを更新し得る。一態様では、ＵＥは、ピンポンネットワーク状態を表す第１のセルと第２のセルとの間の反復遷移を検出し得る。ＵＥは、次いで、第１のセルと第２のセルとの間のセル遷移の数を低減するためにセル再選択パラメータのローカルセットを更新し得る。いくつかの態様によれば、ＵＥは、セル再選択パラメータの更新されたローカルセットのパラメータを元の値に戻し得る。いくつかの態様によれば、ＵＥは、第１のセルから第２のセルに正常に遷移しないことがあり、第１のセルと第２のセルとの間のセル遷移試みの数を低減するためにセル再選択パラメータのローカルセットを更新し得る。
【００５４】
いくつかの態様によれば、４０２においてステップを実行するより前に、ＵＥは、第１のセルが、第１のＲＡＴを利用する第１のセルから第２のＲＡＴを利用するセルへの遷移をサポートしない（たとえば、第１のセルが近隣ＬＴＥセルを広告しない可能性がある）ことを最初に判断し得る。ＵＥは、第１のセルから（たとえば、ＳＩ２Ｑメッセージを備える）信号を受信することに基づいて、第１のセルがＲＡＴ間遷移をサポートしないことを判断し得る。ＵＥはまた、第１のセルがＰＬＭＮに属するかどうかを判断し得、ＰＬＭＮでは、１つまたは複数のセル再選択パラメータのローカル生成が、ＰＬＭＮの所定のリストに基づいて望まれる。
【００５５】
図５に、本開示のいくつかの態様による、ＬＴＥカバレージおよびＧＳＭカバレージの例示的なトポロジー５００を示す。図示のように、トポロジー５００は、ＧＳＭ基地局（「ＧＳＭ  ＢＳ−１」）によって確立されたＧＳＭセル５０２にキャンピングしたＵＥ５１０を含む。
【００５６】
いくつかの態様によれば、ある時間に（たとえば、ＵＥ５１０が電源投入されたとき）、ＵＥ５１０は、ＬＴＥサービスを捕捉することを試み得る。図示のように、ＵＥ５１０は、ＬＴＥ  ｅノードＢ５１４および５１６（「ＬＴＥ  ｅＮＢ１」および「ＬＴＥ  ｅＮＢ２」）によって確立された近隣ＬＴＥセル５０４および５０６を発見し得る。
【００５７】
ＬＴＥサービスが利用可能であるとわかったとき、ＵＥ５１０は、セル選択プロシージャを使用してＬＴＥセル５０４および５０６のうちの１つまたは複数にキャンプオンし、ＬＴＥセル５０４および５０６にキャンプオンしている間に受信された１つまたは複数のＳＩＢを取得、受信、および／または収集し得る。ＵＥ５１０は、ＬＴＥセル５０４および５０６との接続中に取得、受信、および／または収集された１つまたは複数のＳＩＢを記憶するように構成されたローカルキャッシュ５２０を含む。
【００５８】
上記で説明したように、ＵＥ５１０は、１つまたは複数のＳＩＢから取得、受信、および／または収集されたセル再選択パラメータを備えるシステム情報をキャッシュし得る。たとえば、ＵＥ５１０は、少なくとも１つのセル選択パラメータ（たとえば、ＬＴＥセルへのキャンプオンについての事業者選好、このＬＴＥセルへのキャンプオンについての信号しきい値）を備えるＳＩＢタイプ１（「ＳＩＢ１」）メッセージ、少なくとも１つのセル再選択パラメータ（たとえば、セル再選択基準など）を備えるＳＩＢタイプ３（「ＳＩＢ３」）メッセージ、近隣エリア中に存在し得る他のＲＡＴ周波数（たとえば、ＬＴＥ周波数）に関する情報（たとえば、他のＬＴＥ周波数のリスト）を備えるＳＩＢタイプ５（「ＳＩＢ５」）メッセージ、および／または少なくとも１つのＲＡＴ間（たとえば、ＬＴＥ対ＧＳＭ）セル再選択パラメータ（たとえば、ＲＡＴ間セル再選択についての事業者選好）を備えるＳＩＢタイプ７（「ＳＩＢ７」）メッセージを取得、受信、および／または収集し得る。
【００５９】
いくつかの態様によれば、ＵＥ５１０は、図６に関して以下でより詳細に説明するように、デフォルトセル再選択パラメータ更新するために、キャッシュされたシステム情報を利用し得る。
【００６０】
いくつかの態様によれば、各ＬＴＥセルに遷移するときに、矢印５１８の経路によって示されるように、ＵＥは、システム情報を取得、受信、および／または収集し得、各ＬＴＥセルからのＳＩＢ（またはそれらの１つまたは複数のパラメータ）のキャッシュを構築し得る。図示のように、ＵＥ５１０は、矢印５２２によって示されるように、ＬＴＥセル５０４にキャンプオンし、ＳＩＢ１、ＳＩＢ３、ＳＩＢ５、および／またはＳＩＢ７を含むＬＴＥ  ＳＩＢを取得、受信、および／または収集し得る。
【００６１】
図示のように、ローカルキャッシュのコンテンツ５２０Ａは、これまでに取得、受信、および／または収集されたＳＩＢ、すなわち、ＬＴＥセル５０４からのＳＩＢを含む。図示のように、ＵＥ５１０は、次いで、矢印５２４によって示されるように、遷移し、ＬＴＥセル５０６にキャンプオンし、ＬＴＥセル５０６から受信されたＬＴＥ  ＳＩＢを取得、受信、および／または収集し得る。したがって、ローカルキャッシュ５２０のコンテンツ５２０Ｂは、ＵＥ５１０が、ＬＴＥセル５０４にキャンプオンしていた間に取得、受信、および／または収集されたＳＩＢと、ＬＴＥセル５０６にキャンプオンしている間に取得、受信、および／または収集されたＳＩＢとを累積的に含み得る。
【００６２】
図示のように、ＵＥ５１０は、次いで、ＧＳＭ基地局５１２に接続し、ＧＳＭセル５０２にキャンプオンし得る。いくつかの態様によれば、ＵＥ５１０は、より優先度の高いＲＡＴとの相互運用性／相互動作をサポートしないセル中にキャンピングしている間にのみ、セル再選択パラメータのローカルセットに基づいてＲＡＴ間セル再選択を実行し得る。いくつかの態様によれば、ＵＥ５１０は、サービング（serving）ＧＳＭ基地局５１２がＰＬＭＮに属するかどうかを検証し得、ＰＬＭＮでは、ＲＡＴ間（たとえば、ＧＳＭ対ＬＴＥ）再選択パラメータのローカル生成が、ＰＬＭＮの所定のリストに基づいて望まれる。
【００６３】
一実装形態では、ＵＥ５１０は、上記で説明したメモリ３０６に記憶された事前プロビジョニングされたリストなど、メモリに記憶されたＰＬＭＮの事前プロビジョニングされたリストにアクセスし得る。いくつかの態様によれば、ＵＥ５１０は、サービングＧＳＭ基地局５１２が近隣ＬＴＥセル５０４および５０６のためのセル再選択パラメータ（たとえば、ＧＳＭ対ＬＴＥセル再選択パラメータ）をブロードキャストしないかどうかを検証し得る。
【００６４】
一実装形態では、ＳＩ２Ｑブロードキャストメッセージの不在は、ＵＥ５１０に、ＧＳＭセル５０２がこのタイプのメッセージをブロードキャストすることが可能でない場合があることと、推測によって、ＧＳＭセル５０２は、エリア中に存在し得るＬＴＥサービスに関する情報をブロードキャストすることが可能でない場合があることとを示し得る。逆に、ＬＴＥネイバーを省略したＳＩ２Ｑブロードキャストメッセージの存在は、ＵＥ５１０に、ＧＳＭ基地局５１２が、このタイプのメッセージをブロードキャストすることが可能であることと、真に、エリア中にＬＴＥサービスがない可能性があることとを示し得る。また、ＬＴＥネイバーのセル情報を含むＳＩ２Ｑメッセージの存在は、ＵＥ５１０が、本明細書で説明する再選択パラメータのローカルセットに基づくセル再選択プロシージャの代わりに、規格ベースのＧＳＭ対ＬＴＥ再選択プロシージャを利用し得ることを示し得る。
【００６５】
いくつかの態様によれば、サービングＧＳＭ基地局５１２がＬＴＥネイバーをブロードキャストしないことを判断し、またＵＥ５１０が、レガシーＧＳＭセル５０２からＬＴＥセルへのＲＡＴ間セル再選択を可能にするためにＧＳＭ対ＬＴＥ再選択パラメータをローカル生成し得ることを判断したときに、ＵＥ５１０は、ＬＴＥセル５０４および５０６への前の訪問中に取得、受信、および／または収集されたシステム情報に基づいてセル再選択パラメータのローカルセットを生成するためのローカルプロセス（たとえば、変換）を利用し得る。（本開示のいくつかの態様によるローカル変換について、図６に関して詳細に説明する。）１つまたは複数のＳＩＢから取得、受信、および／または収集されたセル再選択パラメータを備えるシステム情報と、セル再選択パラメータの生成されたローカルセットとが、ローカルキャッシュに記憶されて示されているが、システム情報および／またはセル再選択パラメータの生成されたローカルセットは、異なるタイプのメモリに記憶され得る。
【００６６】
図５に示す例では、ＵＥ５１０は、セル再選択パラメータのローカルセットを備える「シミュレートされた」ＳＩ２Ｑメッセージ５２６を生成するために、ローカルキャッシュ５２０のコンテンツ５２０Ｃ（たとえば、ＬＴＥセル５０４および５０６から取得、受信、および／または収集されたＳＩＢ）を利用する。その後、ＵＥ５１０は、セル再選択パラメータの生成されたローカルセットを使用してＧＳＭ対ＬＴＥセル再選択を評価し得る。
【００６７】
図６に、本開示のいくつかの態様による、セル再選択パラメータのローカルセットを生成することの一例６００を示す。いくつかの態様によれば、ＵＥは、「学習パラメータセット」と呼ばれることがある、セル再選択パラメータのローカルセットを生成するために、少なくとも１つのマッピング関数を利用して、上記で説明したデフォルトパラメータセットを変換し得る。
【００６８】
図６に示す例では、セル再選択パラメータのローカルセットは、ＳＩＢ６０４、６０６、６０８、および６１０として示された、キャッシュされたシステム情報に記憶されたパラメータに１つまたは複数の変換を適用することによって生成されたＧＳＭ  ＳＩ２Ｑメッセージ６０２を備え得る。いくつかの態様によれば、ＵＥは、セル再選択プロシージャによって評価されている各セルについてセル再選択パラメータの異なるローカルセットを生成し得る。いくつかの態様によれば、変換６００は、１つまたは複数の入力パラメータを有するマッピング関数、コピーオーバー（copy-over）関数、またはそれらの何らかの組合せを備え得る。他の処理が、キャッシュされたシステム情報および／またはデフォルトパラメータセットからセル再選択パラメータのローカルセットを形成するために採用され得る。
【００６９】
いくつかの態様によれば、ＵＥは、対応するローカルセル再選択パラメータ６０２を生成するために、キャッシュされたシステム情報からの１つまたは複数のパラメータを使用してデフォルトパラメータセットを変更し得る。上記で説明したように、デフォルトパラメータセットは、限定はしないが、ＬＴＥ  ＥＡＲＦＣＮのリスト、ＬＴＥ  ＲＡＴ優先度、ＧＥＲＡＮ  ＲＡＴ優先度、ＴｈｒｅｓｈPrioritySearch、ＴReselection、Ｅ−ＵＴＲＡＮ  ＱRxLevMin、およびＴｈｒｅｓｈE-UTRAN-Highを含み得る。いくつかの態様によれば、セル再選択パラメータのローカルセット６０２は、１つまたは複数のサービングＲＡＴパラメータ（たとえば、サービングＧＥＲＡＮパラメータ）および／または１つまたは複数のＲＡＴネイバーパラメータ（たとえば、Ｅ−ＵＴＲＡＮネイバーパラメータ）を備え得る。
【００７０】
いくつかの態様によれば、セル再選択パラメータのローカルセット６０２は、サービングＲＡＴ（たとえば、ＧＥＲＡＮ）の絶対優先度を示すサービングＲＡＴ優先度パラメータ（たとえば、ＧＥＲＡＮ優先度）を備え得る。優先度は、ネットワークにおける他のＲＡＴに関するサービングＲＡＴの選好を示し得る。いくつかの態様によれば、ＵＥは、ローカルキャッシュ中のシステム情報から導出されたサービング周波数についてのＧＥＲＡＮ優先度を用いてデフォルトパラメータセット中のＧＥＲＡＮ優先度パラメータを変更し得る。図示のように、ＵＥは、対応するネイバーＧＳＭセルの優先度を示すＳＩＢ７  ６１０からのセル再選択優先度を、対応するローカルＧＥＲＡＮ優先度パラメータにマッピングし得る。
【００７１】
いくつかの態様によれば、セル再選択パラメータのローカルセット６０２は、ＵＥがより優先度の低いセルをいつ測定するかを支配する信号しきい値を示すしきい値優先度探索パラメータを備え得る。いくつかの態様によれば、サービングＲＡＴセル（たとえば、ＧＳＭセル）がこのしきい値よりも弱い場合、ＵＥは、より優先度の低いＲＡＴ間セルを測定し得る。いくつかの態様によれば、ＵＥは、ＵＥがより優先度の低いＲＡＴ間ネイバーをいつ測定するかを支配する信号強度しきい値を示す非イントラ探索信号レベルパラメータ（たとえば、ＳNonIntraSearch）に応じて、デフォルトパラメータセットのしきい値優先度探索パラメータを変更し得る。いくつかの態様では、サービングＬＴＥセルがこのしきい値を下回る場合、ＵＥは、より優先度の低いＲＡＴ間ネイバーを測定し得る。図示のように、ＵＥは、対応するローカルしきい値優先度探索パラメータ（たとえば、ＴｈｒｅｓｈPrioritySearch）を生成するために、１つまたは複数のマッピング関数を使用して、ＳＩＢ３  ６０６から収集されたＳNonIntraSearchを変換し得る。
【００７２】
いくつかの態様によれば、セル再選択パラメータのローカルセット６０２は、セル再選択が実行され得るように、適格ＲＡＴ間セル再選択ターゲットが、ターゲットであるために適格であり続け得る継続時間を示す時間再選択（たとえば、ＴReselection）パラメータを備え得る。時間再選択期間は、好適なターゲットが好適なままでなければならない観測期間である。いくつかの態様によれば、ＵＥは、ローカルキャッシュ中のＳＩＢ５およびＳＩＢ７から収集された時間再選択パラメータに応じて、デフォルトパラメータセット中の時間再選択パラメータを変更し得る。収集された時間再選択パラメータは、セル再選択が実行され得るように、（ＳＩＢ５の場合）適格周波数間ＬＴＥセルまたは（ＳＩＢ７の場合）ＲＡＴ間ＬＴＥ  ＧＳＭセルが、セル再選択ターゲットであるために適格であり続けなければならない継続時間を示す。図示のように、ＵＥは、対応するローカル時間再選択パラメータ（たとえば、ＴReselection）を生成するために、ＳＩＢ５  ６０８およびＳＩＢ７  ６１０から収集されたＴReselection値をマッピングし得る。
【００７３】
いくつかの態様によれば、セル再選択パラメータのローカルセット６０２は、ＲＡＴチャネル（たとえば、ＬＴＥチャネル）を示すネイバーＲＡＴチャネルパラメータ（たとえば、ＥＡＲＦＣＮ）を備え得る。いくつかの態様によれば、ＵＥは、キャンプオンしたＬＴＥセルから学習されたチャネル周波数、ならびにＳＩＢ５を使用してＬＴＥセルからブロードキャストされた周波数を用いてデフォルトパラメータセットのＬＴＥ  ＥＡＲＦＣＮのリストを変更し得る。図示のように、ＵＥは、対応するＬＴＥネイバーのダウンリンク周波数を示すＳＩＢ５  ６０８からのダウンリンクキャリア周波数パラメータ（たとえば、ＤＬ−ＣａｒｒｉｅｒＦｒｅｑ）をローカルＥＡＲＦＣＮパラメータにコピーオーバーまたはマッピングし得る。
【００７４】
いくつかの態様によれば、セル再選択パラメータのローカルセット６０２は、近隣ＲＡＴ（たとえば、Ｅ−ＵＴＲＡＮ  ＲＡＴ）の優先度を示す数を備えるネイバーＲＡＴ優先度パラメータ（たとえば、Ｅ−ＵＴＲＡＮ優先度）を含み得る。いくつかの態様によれば、ＵＥは、ローカルキャッシュに記憶されたＳＩＢ３およびＳＢＩ５から導出されたＲＡＴ優先度パラメータに基づいて、デフォルトパラメータセット中の各ＥＡＲＦＣＮの優先度を変更し得る。図示のように、ＵＥは、対応するローカルＥ−ＵＴＲＡＮ優先度パラメータを生成するために、サービングＬＴＥセルの優先度を示すＳＩＢ３  ６０６からのセル再選択優先度、または対応するネイバーＬＴＥの優先度を示すＳＩＢ５  ６０８からのセル再選択優先度をマッピングし得る。
【００７５】
いくつかの態様によれば、セル再選択パラメータのローカルセット６０２は、より優先度の高いＬＴＥネイバーセルがセル再選択のための候補と見なされるために、そのＬＴＥネイバーセルの受信信号強度が超えなければならない信号しきい値を示すＲＡＴ高しきい値パラメータ（たとえば、ＴｈｒｅｓｈE-UTRAN-HIGH）を備え得る。いくつかの態様によれば、ＵＥは、ＳＩＢ３から収集された低サービングしきい値パラメータ（たとえば、ＴｈｒｅｓｈServingLow）と、ＳＩＢ７から収集された低ＲＡＴしきい値パラメータ（たとえば、ＴｈｒｅｓｈX-Low）とに応じて、デフォルトパラメータセット中のＴｈｒｅｓｈE-UTRAN-Highパラメータを変更し得る。ＴｈｒｅｓｈServingLowパラメータは、ＵＥが、より優先度の低いＲＡＴを再選択のための候補と見なすために、サービングＬＴＥ信号セルがそこまで（またはそれ以下に）低下しなければならない信号強度しきい値を示す。ＴｈｒｅｓｈX-Lowパラメータは、より優先度の低いＲＡＴ間セルが、好適なセル再選択ターゲットと見なされるために、そのＲＡＴ間セルの信号強度が超えなければならない信号強度しきい値を示す。図示のように、ＵＥは、ローカルＴｈｒｅｓｈE-UTRAN-HIGHパラメータを生成するために、マッピング関数への入力パラメータとして、ＳＩＢ３  ６０６からのＴｈｒｅｓｈServingLowとＳＩＢ７  ９１０からのＴｈｒｅｓｈX-Lowとを利用し得る。
【００７６】
いくつかの態様によれば、セル再選択パラメータのローカルセット６０２は、ＬＴＥセルが、ＵＥによるキャンピングに好適であると見なされるために必要な最小受信信号強度を示すネイバーＲＡＴ最小受信信号レベルパラメータ（たとえば、Ｅ−ＵＴＲＡＮ−ＱRxLevMin）を備え得る。いくつかの態様によれば、ＵＥは、ＳＩＢ１およびＳＩＢ５から収集されたＱRxLevMin値に応じて、デフォルトパラメータセット中のＥ−ＵＴＲＡＮ−ＱRxLevMinパラメータを変更し得る。ＱRxLevMin値は、（ＳＩＢ１の場合）ＬＴＥセルまたは（ＳＩＢ５の場合）ネイバーＬＴＥセルがキャンピングに好適であると見なされるためにＵＥによって受信されなければならない最小信号強度を判断する。図示のように、ＵＥは、ローカルＥ−ＵＴＲＡＮ−ＱRxLevMin再選択パラメータを生成するために、ＳＩＢ１  ６０４からのＱRxLevMinパラメータとＳＩＢ５  ６０８からのＱRxLevMinパラメータとをマッピングし得る。
【００７７】
したがって、学習パラメータセットを生成した後に、ＵＥは、学習パラメータセット中のパラメータを使用してＲＡＴ間セル再選択（たとえば、ＧＳＭ対ＬＴＥセル再選択）を評価し得る。一実装形態では、学習パラメータセットは、ＵＥの無線リソース管理（ＲＲ）スタックによって処理するためにＳＩ２Ｑメッセージとしてフォーマットされ得る。いくつかの態様によれば、他のフォーマットが、学習パラメータセットを使用してセル再選択を評価するために採用され得る。
【００７８】
本明細書で説明する技法は、様々なタイプのＲＡＴ間を遷移する際に使用するための再選択パラメータのローカルセットを生成する様々な場合に拡張され得ることが企図される。いくつかの態様によれば、ＵＥはまた、キャッシュされたシステム情報に基づいてデフォルトパラメータセットを更新し得る。いくつかの態様によれば、デフォルトパラメータセットがＵＥに与えられていない場合、ＵＥは、キャッシュされたシステム情報に単にまたは主に基づいてセル再選択パラメータのローカルセットを生成し得る。いくつかの態様によれば、ＵＥが、ローカルキャッシュ中で利用可能なキャッシュされたシステム情報が不十分であるために、学習パラメータセットを生成することができない場合、ＵＥは、ＲＡＴ間セル再選択評価のためにデフォルトパラメータセットを利用し続け得る。
【００７９】
いくつかの態様によれば、学習またはデフォルトパラメータセットを適用し始めた後に、ＵＥがＧＥＲＡＮセルとＬＴＥセルとの間で繰り返し遷移、または「ピンポン」、すなわち往復する、「ピンポン」ネットワーク状態をＵＥが検出した場合、ＵＥは、セル遷移の数を低減し、ピンポン状態を緩和するように、学習および／またはデフォルトパラメータセットを調整し得る。いくつかの態様によれば、一定数よりも多い連続するＧＳＭ−ＬＴＥ遷移が所与の時間間隔内に発生した場合、ＵＥはピンポンネットワーク状態を検出し得る。いくつかの態様によれば、ＵＥは、ＥＵＴＲＡ−ＱRxLevMinしきい値パラメータを上げることによって、ピンポン状態を緩和するように学習および／またはデフォルトパラメータセットを調整し得る。いくつかの態様によれば、調整されたパラメータセットは、ある継続時間の間有効であり得、その後、調整されたパラメータは、学習および／またはデフォルトパラメータセットの元のパラメータ値に戻される。
【００８０】
本開示のいくつかの態様は、レガシーネットワークのためにＲＡＴ間セル再選択を可能にするための方法および装置を提供する。上記で説明したように、本開示のいくつかの態様は、有利には、他の知られている手法に勝る、ＬＴＥサービスに対する探索およびセル再選択を提供する。たとえば、他の手法は、ＵＥにおいてＧＥＲＡＮ上のページまたは他のサービスを逃すことを引き起こし得る網羅的な処理および走査を利用し得る。したがって、本開示のいくつかの態様は、ＬＴＥサービスのための適時の探索およびセル再選択を提供する。
【００８１】
さらに、網羅的な処理および走査を利用する他の手法は、ＵＥのバッテリー寿命または待機時間に悪影響を及ぼし得る。したがって、本開示のいくつかの態様は、有利には、電力効率的な方法でＬＴＥサービスに対する探索およびセル再選択を実行する。たとえば、本開示のいくつかの態様は、パブリックランドモバイルネットワーク（ＰＬＭＮ）の事前プロビジョニングされたリストを介して、たとえば、特定の遠隔地理的エリア中にあるときに、セル再選択パラメータのローカル生成を実行しないようにＵＥに指示し、それによって、その遠隔地理的エリア中にあるときのＵＥ処理時間およびエネルギーを節約する、ＰＬＭＮ事業者のための機構を提供する。
【００８２】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。たとえば、接続するための手段、検出するための手段、遷移するための手段、および／または受信するための手段は、図２に示した受信機システム２５０（たとえば、ワイヤレス端末）の送信機ユニット２５４など、送信機を備え得、または判断するための手段、生成するための手段、実行するための手段、更新するための手段、変換するための手段、および／または変更するための手段は、図２に示した受信機システム２５０のプロセッサ２７０など、１つまたは複数のプロセッサを含み得る処理システムを備え得る。これらの手段はまた、図３の送信機３１０、受信機３１２、信号検出器３１８、メモリ３０６、および／またはＤＳＰ３２０の任意の好適な組合せを備え得る。
【００８３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８４】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００８５】
本明細書で開示する態様に関して説明した様々な例示的な論理ブロック、モジュール、および回路は、本明細書で説明した機能を実行するように設計された汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいはそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８６】
本明細書で開示する態様に関して説明した方法またはアルゴリズムのステップは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８７】
開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書に示した態様に限定されるものではなく、本明細書で開示する原理および新規の特徴に一致する最も広い範囲を与えられるべきである。
【図１】
2014520456.tif 000003
【図２】
2014520456.tif 000004
【図３】
2014520456.tif 000005
【図４】
2014520456.tif 000006
【図５】
2014520456.tif 000007
【図６】
2014520456.tif 000008
【手続補正書】
【提出日】平成26年4月14日(2014.4.14)
【手続補正１】
【補正対象書類名】明細書
【補正対象項目名】００４３
【補正方法】変更
【補正の内容】
【００４３】
デフォルトパラメータセットは、パブリックランドモバイルネットワーク（ＰＬＭＮ）、事業者、またはワイヤレスデバイス製造業者によって与えられ得るか、あるいはワイヤレスデバイス構成を介してロードされ得る。代替態様によれば、事前ロードされるのではなく、デフォルトセル再選択パラメータは、代わりに、別のセルとの前の接続において受信された１つまたは複数のＳＩＢから取得され得る。一実装形態では、デフォルトパラメータセットはデフォルトＳＩ２Ｑメッセージとしてフォーマットされ得る。いくつかの態様では、デフォルトパラメータセットは、（たとえば、初めは）「ヌル集合（nul set）」であり得る。
【手続補正２】
【補正対象書類名】明細書
【補正対象項目名】００７４
【補正方法】変更
【補正の内容】
【００７４】
いくつかの態様によれば、セル再選択パラメータのローカルセット６０２は、近隣ＲＡＴ（たとえば、Ｅ−ＵＴＲＡＮ  ＲＡＴ）の優先度を示す数を備えるネイバーＲＡＴ優先度パラメータ（たとえば、Ｅ−ＵＴＲＡＮ優先度）を含み得る。いくつかの態様によれば、ＵＥは、ローカルキャッシュに記憶されたＳＩＢ３およびＳＩＢ５から導出されたＲＡＴ優先度パラメータに基づいて、デフォルトパラメータセット中の各ＥＡＲＦＣＮの優先度を変更し得る。図示のように、ＵＥは、対応するローカルＥ−ＵＴＲＡＮ優先度パラメータを生成するために、サービングＬＴＥセルの優先度を示すＳＩＢ３  ６０６からのセル再選択優先度、または対応するネイバーＬＴＥの優先度を示すＳＩＢ５  ６０８からのセル再選択優先度をマッピングし得る。
【手続補正３】
【補正対象書類名】図面
【補正対象項目名】図５
【補正方法】変更
【補正の内容】
【図５】
2014520456.tif 000009
【国際調査報告】
2014520456.tif 000010
2014520456.tif 000011
2014520456.tif 000012